(57)【特許請求の範囲】
【請求項１】
筐体(２)と、該筐体(２)に取り付けられたアンテナ(４)とを具え、前記筐体(２)は、１或いは複数本のねじ(33)により互いに締結された前面ケース半体(21)及び背面ケース半体(22)と、両ケース半体(21)(22)の内、一方のケース半体の表面に露出する前記ねじ(33)の頭部を覆って該一方のケース半体に取り付けられた蓋部材(５)とを具え、該蓋部材(５)によって前記筐体(２)の外壁の一部が構成されている携帯型無線端末機において、
前記アンテナ(４)は、アンテナ本体(41)と、該アンテナ本体(41)と同軸上に設けられて該アンテナ本体(41)を前記筐体(２)に締結するための締結部材(42)とを具え、該締結部材(42)は、同軸上にねじ軸部(43)と筒軸部(45)とを有し、前記筐体(２)には、アンテナ(４)が挿通されるべき貫通孔(51)と取り付け孔(38)が、前記蓋部材(５)の端部と前記一方のケース半体の端部とを貫通して形成され、該ケース半体の端部に形成された取り付け孔(38)には、前記締結部材(42)のねじ軸部(43)が螺合するナット部(37)が設けられ、前記蓋部材(５)の端部に形成された貫通孔(51)を前記締結部材(42)の筒軸部(45)が貫通して蓋部材(５)が前記一方のケース半体に保持されており、
前記蓋部材(５)と前記一方のケース半体との対向部には、複数のフックと複数のフック受け部からなる互いに係脱可能な係合構造が設けられ、前記複数のフックの内、前記貫通孔(51)が開設されている前記蓋部材(５)の端部とは反対側の端部に設けられているフックは、他のフックよりもフック受け部に対する係り代が大きくなるように形成されていることを特徴とする携帯型無線端末機。
【請求項２】
前記アンテナ(４)の締結部材(42)の中央孔(46)をアンテナ本体(41)が摺動可能に貫通している請求項１に記載の携帯型無線端末機。
【請求項３】
前記一方のケース半体には、前記蓋部材(５)と並べて、前記蓋部材(５)とともに前記筐体(２)の外壁の一部を構成するバッテリーカバー(63)が着脱可能に取り付けられている請求項１又は請求項２に記載の携帯型無線端末機。
【請求項４】
前記締結部材(42)は、ねじ軸部(43)及び筒軸部(45)と同軸上に、ねじ軸部(43)及び筒軸部(45)よりも大径の鍔部(44)を具え、前記蓋部材(５)の端部には、最大径を有するアンテナ本体(４)の頭部(41a)が収容されるべき筒状の頭部収容室(47)が凹設されると共に、該頭部収容室(47)の底壁部(55)に前記貫通孔(51)が開設されており、該貫通孔(51)は、前記締結部材(42)のねじ軸部(43)及び筒軸部(45)が貫通可能、且つ鍔部(44)が貫通不能な内径に形成されており、前記締結部材(42)のねじ軸部(43)は、該締結部材(42)の鍔部(44)と前記取り付け孔(38)が開設された一方のケース半体の端部との間に前記蓋部材(５)の底壁部(55)を挟んだ状態で、前記一方のケース半体のナット部(37)にねじ込まれている請求項１乃至請求項３の何れかに記載の携帯型無線端末機。
【請求項５】
前記一方のケース半体には、前記蓋部材(５)との対向面上に、カメラレンズ(31)が設置され、前記蓋部材(５)には、前記カメラレンズ(31)を露出させるカメラレンズ露出窓(52)が開設されている請求項１乃至請求項４の何れかに記載の携帯型無線端末機。
【請求項６】
前記一方のケース半体には、前記蓋部材(５)との対向面上に、フラッシュレンズ(32)が設置され、前記蓋部材(５)には、前記フラッシュレンズ(32)を露出させるフラッシュレンズ露出窓(53)が開設されている請求項５に記載の携帯型無線端末機。
【発明の詳細な説明】
【技術分野】
【０００１】
本発明は、アンテナを具えた携帯電話機等の携帯型無線端末機に関するものである。
【背景技術】
【０００２】
従来の折り畳み式携帯電話機は、図１０に示す如く、第１筐体(71)と第２筐体(72)とをヒンジ機構(78)を介して互いに開閉可能に連結して構成される。第１筐体(71)には第２筐体(72)との対向面に、ＬＣＤ(図示省略)が配備されると共に、第２筐体(72)には第１筐体(71)との対向面に、複数の操作釦(図示省略)が配備されている(特許文献１参照)。
第２筐体(72)は、２本のねじ(79)(79)により互いに締結された前面ケース半体(76)及び背面ケース半体(77)と、背面ケース半体(77)の表面に露出する両ねじ(79)(79)の頭部を覆って背面ケース半体(77)に取り付けられた蓋部材(73)とからなり、該蓋部材(73)によって第２筐体(72)の外壁の一部が構成されている。
【０００３】
蓋部材(73)の内面には、背面ケース半体(77)に向けて複数のフック部(73a)〜(73a)が突設されており、蓋部材(73)は、複数のフック部(73a)〜(73a)が背面ケース半体(77)の開口縁に係合して背面ケース半体(77)に取り付けられている。
又、蓋部材(73)と背面ケース半体(77)の間には、両面接着シート(74)が介在し、該両面接着シート(74)によって蓋部材(73)と背面ケース半体(77)とが互いに接着されている。
【０００４】
更に背面ケース半体(77)には、ヒンジ機構(78)側の端部に、ホイップアンテナ(75)が挿通されるべき貫通孔(85)が開設されている。
ホイップアンテナ(75)は、ポール状のアンテナ本体(81)と、ホイップアンテナ(75)を背面ケース半体(77)に締結するための締結部材(82)とから構成され、締結部材(82)の中央孔をアンテナ本体(41)が摺動可能に貫通している。
アンテナ本体(81)は、貫通孔(85)が開設された背面ケース半体(77)の外壁にアンテナ本体(81)の頭部(81a)が接触して該アンテナ本体(81)の大部分が背面ケース半体(77)の内部に収容された収容位置と、該アンテナ本体(81)の大部分が背面ケース半体(77)の外部に引き出された伸長位置との間で往復移動が可能となっている。
締結部材(82)は、ねじ軸部(84)と、該ねじ軸部(84)よりも大径に形成された鍔部(83)とを同軸上に具え、貫通孔(85)は、締結部材(82)の鍔部(83)を挿入することが可能な内径に形成されている。
【０００５】
図１１は、ホイップアンテナ(75)の中心軸を通り、且つ該ホイップアンテナ(75)の貫通方向に平行な平面に沿う上記携帯電話機の断面図を示しており、図１２は、図１１のＢ部を拡大して示している。
図１２に示す如く、背面ケース半体(77)の内部には、アンテナホルダ(80)が配備され、該アンテナホルダ(80)の内部には、ホイップアンテナ(75)が挿通されるべき挿入孔(87)が、背面ケース半体(77)の貫通孔(85)と同軸上に開設されている。アンテナホルダ(80)の挿入孔(87)は、締結部材(84)のねじ軸部(84)を挿入することが可能、且つ鍔部(83)を挿入することが不能な内径に形成されており、該挿入孔(87)には、背面ケース半体(77)の貫通孔(85)側に、締結部材(82)のねじ軸部(84)が螺合するナット部(86)が形成されている。
【０００６】
ホイップアンテナ(75)は、背面ケース半体(77)の貫通孔(85)を通して、締結部材(82)のねじ軸部(84)をアンテナホルダ(80)の挿入孔(87)に挿入した後、締結部材(82)の鍔部(83)がアンテナホルダ(80)に当接するまで、締結部材(82)のねじ軸部(84)をアンテナホルダ(80)のナット部(86)にねじ込むことにより、背面ケース半体(77)に固定されている。
【特許文献１】特開２００３−１４３２６８号公報  [H04M 1/02]
【発明の開示】
【発明が解決しようとする課題】
【０００７】
ところで、携帯電話機の製造工程において、組み立て後の検査にて携帯電話機に不具合があることが判明した場合には、該携帯電話機を分解し、不具合の発生原因となった部品を正常な部品に交換した後、再び組み立て作業が行なわれる。従って、図１０に示す如く、前面ケース半体(76)、背面ケース半体(77)及び蓋部材(73)を互いに締結して第２筐体(２)が構成されている折り畳み式携帯電話機において、蓋部材(73)を背面ケース半体(77)に締結する締結構造としては、組み立て及び分解が容易なこと、そして組み立てた後には、ユーザが過って携帯電話機を床面に落下させたとしても、蓋部材(73)が背面ケース半体(77)から簡単に外れることのないことが要求される。
【０００８】
しかしながら、図１０に示す従来の携帯電話機において、組み立て後の検査にて携帯電話機に不具合があることが判明し、該携帯電話機を分解する必要がある場合には、両面接着シート(74)によって背面ケース半体(77)に接着された蓋部材(73)を該背面ケース半体(77)から取り外した後、背面ケース半体(77)及び蓋部材(73)に付着した両面接着シート(74)を除去する作業が必要となるばかりでなく、背面ケース半体(77)及び蓋部材(73)から除去した両面接着シート(74)は、再利用することが出来ない。ところが、両面接着シート(74)を用いず、複数のフック部(73a)〜(73a)による係合構造だけでは、落下時に蓋部材(73)が外れる問題がある。
そこで、本発明の目的は、ユーザが過って床面に落下させたとしても蓋部材が外れることのない携帯型無線端末機を提供することである。
【課題を解決するための手段】
【０００９】
本発明に係る携帯型無線端末機は、筐体(２)と、該筐体(２)に取り付けられたアンテナ(４)とを具え、前記筐体(２)は、１或いは複数本のねじ(33)により互いに締結された前面ケース半体(21)及び背面ケース半体(22)と、両ケース半体(21)(22)の内、一方のケース半体の表面に露出する前記ねじ(33)の頭部を覆って該一方のケース半体に取り付けられた蓋部材(５)とを具え、該蓋部材(５)によって前記筐体(２)の外壁の一部が構成されている。
前記アンテナ(４)は、アンテナ本体(41)と、該アンテナ本体(41)と同軸上に設けられて該アンテナ本体(41)を前記筐体(２)に締結するための締結部材(42)とを具え、該締結部材(42)は、同軸上にねじ軸部(43)と筒軸部(45)とを有し、前記筐体(２)には、アンテナ(４)が挿通されるべき貫通孔(51)と取り付け孔(38)が、前記蓋部材(５)の端部と前記一方のケース半体の端部とを貫通して形成され、該ケース半体の端部に形成された取り付け孔(38)には、前記締結部材(42)のねじ軸部(43)が螺合するナット部(37)が設けられ、前記蓋部材(５)の端部に形成された貫通孔(51)を前記締結部材(42)の筒軸部(45)が貫通して蓋部材(５)が前記一方のケース半体に保持されている。
【００１０】
上記本発明に係る携帯型無線端末機において、アンテナ(４)は、締結部材(42)のねじ軸部(43)が前記一方のケース半体の端部に開設された取り付け孔(38)のナット部(37)に螺合して、前記筐体(２)に締結されている。
この状態において、前記締結部材(42)の筒軸部(45)が、前記蓋部材(５)の端部に形成された貫通孔(51)を貫通しているので、アンテナ(４)の締結部材(42)によって、前記蓋部材(５)は一方のケース半体に対して分離不能に締結されることになる。
従って、上記本発明に係る携帯型無線端末機によれば、アンテナ(４)を筐体(２)に取り付けるための締結構造を利用して、蓋部材(５)を一方のケース半体に対して分離不能に締結することが出来るので、ユーザが過って携帯型無線端末機を床面に落下させたとしても、蓋部材(５)が一方のケース半体から外れてしまうことはない。
【００１１】
前記筐体(２)を分解する必要がある場合には、締結部材(42)を緩み方向に回転させて、該締結部材(42)のねじ軸部(43)と前記取り付け孔(38)のナット部(37)との螺合を解除した後、アンテナ(４)を貫通孔(51)及び取り付け孔(38)から抜き取る。この状態で、前記蓋部材(５)を一方のケース半体から取り外すことが可能となる。
前記一方のケース半体から蓋部材(５)を取り外した後には、該一方のケース半体の表面に両ケース半体(21)(22)を互いに締結するねじ(33)の頭部が露出することとなり、該ねじ(33)を緩み方向に回転させて螺合を解除することにより、両ケース半体(21)(22)を分解することが出来る。この様にして、筐体(２)を容易に分解することが出来る。
【００１２】
具体的構成において、前記アンテナ(４)の締結部材(42)の中央孔(46)をアンテナ本体(41)が摺動可能に貫通している。
該具体的構成によれば、アンテナ本体(41)の大部分が筐体(２)の内部に収容された収容位置と、アンテナ本体(41)の大部分が筐体(２)の外部に引き出された伸長位置との間で、アンテナ本体(41)の往復移動が可能となる。
【００１３】
又、具体的構成において、前記蓋部材(５)及び前記一方のケース半体との対向部には、フックとフック受け部からなる互いに係脱可能な係合構造が設けられている。
該具体的構成によれば、前記蓋部材(５)は、上述のアンテナ(４)を筐体(２)に取り付けるための締結構造に加え、フックとフック受け部からなる係合構造によって、前記一方のケース半体に確実に保持されることになる。
【００１４】
更に具体的構成において、前記締結部材(42)は、ねじ軸部(43)及び筒軸部(45)と同軸上に、ねじ軸部(43)及び筒軸部(45)よりも大径の鍔部(44)を具え、前記蓋部材(５)の端部には、最大径を有するアンテナ本体(４)の頭部(41a)が収容されるべき円筒状の頭部収容室(47)が凹設されると共に、該頭部収容室(47)の底壁部(55)に前記貫通孔(51)が開設されており、該貫通孔(51)は、前記締結部材(42)のねじ軸部(43)及び筒軸部(45)が貫通可能、且つ鍔部(44)が貫通不能な内径に形成されており、前記締結部材(42)のねじ軸部(43)は、該締結部材(42)の鍔部(44)と前記取り付け孔(38)が開設された一方のケース半体の端部との間に前記蓋部材(５)の底壁部(55)を挟んだ状態で、前記一方のケース半体のナット部(37)にねじ込まれている。
【００１５】
該具体的構成において、前記蓋部材(５)は、前記取り付け孔(38)が開設された一方のケース半体の端部と前記締結部材(42)の鍔部(44)との間に底壁部(55)を狭圧された状態で、前記一方のケース半体に保持されることになる。
【発明の効果】
【００１６】
上記本発明に係る携帯型無線端末機によれば、アンテナを筐体に取り付けるための締結構造を利用して、蓋部材を筐体に対して分離不能に締結することが出来るので、ユーザが過って床面に落下させたとしても、蓋部材が容易に外れることはない。
【発明を実施するための最良の形態】
【００１７】
以下、本発明を折り畳み式携帯電話機に実施した形態につき、図面に沿って具体的に説明する。
本発明に係る折り畳み式携帯電話機は、図１及び図２に示す如く、第１筐体(１)と第２筐体(２)とをヒンジ機構(３)を介して互いに開閉可能に連結して構成される。第１筐体(１)には第２筐体(２)との対向面に、ＬＣＤ(11)が配備されると共に、第２筐体(２)には第１筐体(１)との対向面に、複数の操作釦(29)〜(29)が配備されている。
【００１８】
図２に示す如く、第２筐体(２)は、複数の操作釦(29)〜(29)が配備された前面側の外壁を構成する前面ケース半体(21)と、両側壁を構成する背面ケース半体(22)と、背面ケース半体(22)の背面に取り付けられて背面側の外壁を構成するバッテリーカバー(63)及び蓋部材(５)とから構成される。
バッテリーカバー(63)は、背面ケース半体(22)の背面に着脱可能に取り付けられており、該バッテリーカバー(63)を取り外すことによって第２筐体(２)の内部に配備されたバッテリー(図示省略)を露出させ、この状態で、バッテリーの取り付け及び取り外しが行なえる様になっている。
【００１９】
蓋部材(５)には、円形のカメラレンズ露出窓(52)と、楕円形のフラッシュレンズ露出窓(53)と、円形のＬＥＤレンズ露出窓(56)とが開設され、各露出窓(52)(53)(56)から、カメラレンズ(31)、フラッシュレンズ(32)、及びＬＥＤレンズ(39)とがそれぞれ露出している。尚、第２筐体(２)の内部には、盗撮を防止すべくカメラの撮影操作に応じて発光するＬＥＤ(図示省略)が配備されており、該ＬＥＤからの光がＬＥＤレンズ(39)から出射される様になっている。
【００２０】
又、蓋部材(５)には、ヒンジ機構(３)側の端部に貫通孔(51)が開設され、該貫通孔(51)にはホイップアンテナ(４)が挿通されている。
ホイップアンテナ(４)は、ポール状のアンテナ本体(41)を具え、該アンテナ本体(41)の先端に最大径を有する頭部(41a)が設けられている。アンテナ本体(41)は、頭部(41a)が蓋部材(５)の端部に当接してアンテナ本体(41)の大部分が第２筐体(２)の内部に収容された収容位置と、アンテナ本体(41)の大部分が第２筐体(２)の外部に引き出された伸長位置との間で、往復移動が可能となっている。
【００２１】
図３に示す如く、第２筐体(２)の内部には、前面ケース半体(21)と背面ケース半体(22)との間に、フレキシブルシート基板(28)とメイン基板(26)とが配備されている。フレキシブルシート基板(28)の前面ケース半体(21)との対向面には、図１に示す複数の操作釦(29)〜(29)が配備され、メイン基板(26)の背面ケース半体(22)との対向面には、カメラユニット(27)が実装されている。又、背面ケース半体(22)の蓋部材(５)との対向面上には、カメラレンズ(31)、フラッシュレンズ(32)及びＬＥＤレンズ(39)が設置されている。
更に背面ケース半体(22)には、バッテリー(61)を収容すべきバッテリー収容室(25)が凹設されており、バッテリー収容室(25)の底面には矩形状の開口(25a)が開設されている。該開口(25a)には、ラベルシート(62)が貼り付けられており、該ラベルシート(62)は、開口(25a)を閉塞してバッテリー収容室(25)の底面を構成している。
【００２２】
図７に示す如く、背面ケース半体(22)には、複数のねじ挿入孔(35a)〜(35a)が開設されており、図３に示す如く、前面ケース半体(21)には、複数のねじ止め孔(35b)〜(35b)が、背面ケース半体(22)の複数のねじ挿入孔(35a)〜(35a)に対応する位置に開設されている。
前面ケース半体(21)と背面ケース半体(22)は、その間にフレキシブルシート基板(28)とメイン基板(26)とを挟んだ状態で、図４に示す如く、背面ケース半体(22)の背面側から各ねじ挿入孔(35a)にねじ(33)を挿入し、対向する前面ケース半体(21)のねじ止め孔(35b)に螺合することにより互いに締結されている。
【００２３】
図３に示す如く、背面ケース半体(22)の背面側には、蓋部材(５)とバッテリーカバー(63)とが取り付けられている。蓋部材(５)とバッテリーカバー(63)は、背面ケース半体(22)の背面全体を覆っているため、第２筐体(２)の表面にねじ(33)〜(33)の頭部が露出することはなく、美観が向上する。
又、背面ケース半体(22)には、図５に示す如く、円筒状のアンテナホルダ(24)が一方の側壁に沿って取り付けられている。アンテナホルダ(24)は、立方体状の先端部(24a)と、該先端部(24a)から伸びる円筒体(24b)とから構成され、先端部(24a)には、図３に示す如くアンテナ本体(41)を取り付けるための取り付け孔(38)が開設されている。
【００２４】
図３に示す如く、ホイップアンテナ(４)は、アンテナ本体(41)をアンテナホルダ(24)の取り付け孔(38)に締結するための締結部材(42)を具え、図９に示す如く、締結部材(42)の中央孔(46)をアンテナ本体(41)が摺動可能に貫通している。締結部材(42)は、略同一の外径を有するねじ軸部(43)及び軸筒部(45)と、ねじ軸部(43)及び軸筒部(45)よりも大径に形成された鍔部(44)とを同軸上に具え、アンテナホルダ(24)の取り付け孔(38)の内周面には、締結部材(42)のねじ軸部(43)が螺合するナット部(37)が形成されている。
【００２５】
背面ケース半体(22)の端部には、アンテナホルダ(24)の取り付け孔(38)に連通する円形の開口(23)が開設され、該開口(23)は、蓋部材(５)が背面ケース半体(22)に取り付けられた状態で、該蓋部材(５)に開設された貫通孔(51)に連通することになる。
【００２６】
図５及び図６に示す如く、蓋部材(５)の内面には、背面ケース半体(22)に向けて複数のフック部(54a)〜(54e)が突設されており、図７に示す如く、背面ケース半体(22)には、蓋部材(５)の複数のフック部(54a)〜(54e)がそれぞれ係合する複数の係合孔(34a)〜(34e)が開設されている。蓋部材(５)の複数のフック部(54a)〜(54e)の内、貫通孔(51)が開設された端部とは反対側の端部に突設された一対のフック部(54c)(54d)は、該一対のフック部(54c)(54d)を除く他の３つのフック部(54a)(54b)(54e)よりも各係合孔(34a)〜(34e)に対する係り代が大きくなる様に形成されている。
蓋部材(５)の複数のフック部(54a)〜(54e)と背面ケース半体(22)の複数の係合孔(34a)〜(34e)とがそれぞれ互いに係合した状態において、図３に示すカメラレンズ(31)、フラッシュレンズ(32)及びＬＥＤレンズ(39)は、その一部を蓋部材(５)により押圧されて背面ケース半体(22)の背面に拘持されることになる。
【００２７】
図８は、ホイップアンテナ(４)の中心軸を通り、且つ該ホイップアンテナ(４)の貫通方向に平行な平面に沿う本発明の折り畳み式携帯電話機の断面図を示しており、図９は、図８のＡ部を拡大して示している。
図９に示す如く、蓋部材(５)の端部には、アンテナ本体(４)の頭部(41a)が収容されるべき円筒状の頭部収容室(47)が凹設されており、該頭部収容室(47)の底壁部(55)に貫通孔(51)が開設されている。尚、貫通孔(51)は、締結部材(42)のねじ軸部(43)及び筒軸部(45)が貫通可能、且つ頭部(44)が貫通不能な内径に形成されている。
ホイップアンテナ(４)は、締結部材(42)の鍔部(44)と、貫通孔(51)が開設された蓋部材(５)の端部とが互いに接触し、アンテナホルダ(24)のナット部(37)に対する締結部材(82)のねじ込み方向の回転操作が不能となった状態で、第２筐体(２)に取り付けられている。
【００２８】
この状態において、締結部材(42)の筒軸部(45)が蓋部材(５)の貫通孔(51)を貫通して、該貫通孔(51)が開設された蓋部材(５)の底壁部(55)が、締結部材(42)の鍔部(44)と背面ケース半体(22)の端面(36)との間で狭圧されることになる。
従って、本発明の折り畳み式携帯電話機によれば、蓋部材(５)は、複数のフック部(54a)〜(54e)と複数の係合孔(34a)〜(34e)の係合によって背面ケース半体(22)に確実に保持されると共に、ホイップアンテナ(４)を第２筐体(２)に取り付けるための締結構造によって背面ケース半体(22)に対して分離不能に締結されることになる。このため、ユーザが過って携帯電話機を床面に落下させたとしても、蓋部材(５)が背面ケース半体(22)から外れてしまうことはない。
【００２９】
又、本発明の折り畳み式携帯電話機の組み立て後の検査にて携帯電話機に不具合があることが判明し、該携帯電話機を分解する必要がある場合には、先ず、締結部材(42)を緩み方向に回転させて、該締結部材(42)のねじ軸部(43)とアンテナホルダ(24)のナット部(37)との螺合を解除した後、ホイップアンテナ(４)を蓋部材(５)の貫通孔(51)から抜き取る。この状態で、蓋部材(５)を背面ケース半体(22)から取り外すことが可能となる。
そして、背面ケース半体(22)から蓋部材(５)及びバッテリーカバー(63)を取り外した後には、両ケース半体(21)(22)を互いに締結する複数のねじ(33)〜(33)の頭部が背面ケース半体(22)の表面に露出することとなり、各ねじ(33)を緩み方向に回転させて螺合を解除することにより、両ケース半体(21)(22)を分解することが出来る。この様にして、第２筐体(２)を容易に分解することが出来る。
【００３０】
上述の如く、本発明の折り畳み式携帯電話機によれば、ホイップアンテナ(４)を第２筐体(２)に取り付けるための締結構造を利用して、蓋部材(５)を背面ケース半体(22)に対して分離不能に締結することが出来るので、ユーザが過って床面に落下させたとしても蓋部材(５)が外れることがない。
【図面の簡単な説明】
【００３１】
【図１】本発明の折り畳み式携帯電話機の開状態を示す斜視図である。
【図２】該折り畳み式携帯電話機の閉状態を示す斜視図である。
【図３】該折り畳み式携帯電話機の第２筐体の内部構造を示す分解斜視図である。
【図４】該折り畳み式携帯電話機から蓋部材及びホイップアンテナを取り外した状態を第２筐体側から見た分解斜視図である。
【図５】該折り畳み式携帯電話機から蓋部材及びホイップアンテナを取り外した状態を第１筐体側から見た分解斜視図である。
【図６】蓋部材の平面図である。
【図７】背面ケース半体の平面図である。
【図８】ホイップアンテナの中心軸を通り、且つ該ホイップアンテナの貫通方向に平行な平面に沿う本発明の折り畳み式携帯電話機の断面図である。
【図９】図８のＡ部の拡大図である。
【図１０】従来の折り畳み式携帯電話機から蓋部材及びホイップアンテナを取り外した状態を示す分解斜視図である。
【図１１】ホイップアンテナの中心軸を通り、且つ該ホイップアンテナの貫通方向に平行な平面に沿う従来の折り畳み式携帯電話機の断面図である。
【図１２】図１１のＢ部の拡大図である。
【符号の説明】
【００３２】
(１)  第１筐体
(２)  第２筐体
(21)  前面ケース半体
(22)  背面ケース半体
(23)  開口
(24)  アンテナホルダ
(33)  ねじ
(34a)〜(34e)  係合孔
(37)  ナット部
(38)  取り付け孔
(４)  ホイップアンテナ
(41)  アンテナ本体
(42)  締結部材
(43)  ねじ軸部
(44)  鍔部
(５)  蓋部材
(51)  貫通孔
(54a)〜(54e)  フック部
(63)  バッテリーカバー
【図１】
0004574512.tif 000002
【図２】
0004574512.tif 000003
【図３】
0004574512.tif 000004
【図４】
0004574512.tif 000005
【図５】
0004574512.tif 000006
【図６】
0004574512.tif 000007
【図７】
0004574512.tif 000008
【図８】
0004574512.tif 000009
【図９】
0004574512.tif 000010
【図１０】
0004574512.tif 000011
【図１１】
0004574512.tif 000012
【図１２】
0004574512.tif 000013